(57)【要約】  止水性の低下を抑えつつ、屋根の施工に要する時間を短くすることができる屋根の施工方法及び屋根構造並びにそれらに用いる屋根ユニット及び側部カバー材を提供する。本発明による屋根の施工方法は、下地材７と、下地材７の上に並べて配置された複数の平板屋根材８とをそれぞれ有する複数の屋根ユニット２を互いに隣接するように建物の上部に配置する工程と、屋根ユニット２間の突合せ部分を第１防水シート７１により覆う工程とを含む。
2020122031.tif 000002
【特許請求の範囲】
【請求項１】
下地材と、前記下地材の上に並べて配置された複数の平板屋根材とをそれぞれ有する複数の屋根ユニットを互いに隣接するように建物の上部に配置する工程と、
前記屋根ユニット間の突合せ部分を防水シートにより覆う工程と
を含む、
屋根の施工方法。
【請求項２】
前記防水シートは、隣接する一対の屋根ユニットのいずれか一方から延出されている、
請求項１記載の屋根の施工方法。
【請求項３】
前記屋根ユニットには、前記屋根ユニットが前記建物の上部に配置された際に前記建物の軒棟方向に係る前記屋根ユニットの少なくとも一方の端部に位置し、前記下地材が露出されている端部露出領域が設けられており、
前記防水シートは、前記突合せ部分を跨いで前記端部露出領域に重ねられる、
請求項１又は請求項２記載の屋根の施工方法。
【請求項４】
前記突合せ部分を前記防水シートにより覆った後に、前記端部露出領域を覆うように端部カバー材を前記下地材に重ねる工程
をさらに含み、
前記複数の平板屋根材は、前記建物の軒棟方向に関して軒側の平板屋根材に棟側の平板屋根材の一部が重ねられるように配置されており、
前記端部カバー材は、棟側の屋根ユニットの前記平板屋根材の下に挿入されるとともに、軒側の屋根ユニットの前記平板屋根材に重ねられる、
請求項３記載の屋根の施工方法。
【請求項５】
前記端部カバー材は、平板屋根材である、
請求項４記載の屋根の施工方法。
【請求項６】
前記端部カバー材を前記下地材に重ねた後に、前記端部カバー材に緊結部材を打ち込み前記端部カバー材を前記下地材に緊結する工程と、
前記端部カバー材に打ち込まれた前記緊結部材を覆い隠すように緊結部材カバーを前記端部カバー材に重ねる工程と
をさらに含み、
前記緊結部材カバーは、
前記緊結部材に重ねられる基板部と、
前記基板部の一端から前記基板部の表側に折り返されており、前記棟側の屋根ユニットの平板屋根材の下に挿入されるとともに前記棟側の屋根ユニットの平板屋根材と係合する上部折返部と、
前記基板部の他端から前記基板部の裏側に折り返されており、前記端部カバー材の下に挿入されるとともに前記端部カバー材と係合する下部折返部と
を備えている、
請求項４又は請求項５に記載の屋根の施工方法。
【請求項７】
前記屋根ユニットには、前記屋根ユニットが前記建物の上部に配置された際に前記建物の軒方向に係る前記屋根ユニットの少なくとも一方の側部に位置し、前記下地材が露出されている側部露出領域が設けられており、
前記防水シートは、前記突合せ部分を跨いで前記側部露出領域に重ねられる、
請求項１から請求項６までのいずれか一項に記載の屋根の施工方法。
【請求項８】
各屋根ユニットは、前記建物の軒方向に関して互いの前記側部露出領域が隣接するように配置される、
請求項７記載の屋根の施工方法。
【請求項９】
前記突合せ部分を前記防水シートにより覆った後に、前記側部露出領域を覆うように側部カバー材を前記下地材に重ねる工程
をさらに含み、
前記複数の平板屋根材は、前記建物の軒棟方向に関して軒側の平板屋根材に棟側の平板屋根材の一部が重ねられるように配置されており、
前記側部カバー材は、
平板状の側部カバー材本体と、
前記側部カバー材本体の一端に設けられた係合部と
を備え、
前記側部カバー材は、前記建物の軒方向に関して離間する一対の平板屋根材に前記側部カバー材本体が重ねられるとともに、前記一対の平板屋根材よりも棟側に位置する前記平板屋根材の下に前記側部カバー材本体の他端が挿入され、前記一対の平板屋根材の軒側端部に前記係合部が係合されるように配置される、
請求項７又は請求項８に記載の屋根の施工方法。
【請求項１０】
前記側部カバー材は、前記側部カバー材本体の裏面側に配置されるとともに、前記一対の平板屋根材の間に挿入される芯材をさらに有している、
請求項９に記載の屋根の施工方法。
【請求項１１】
前記平板屋根材は、金属板を素材とする表基材と、表基材の裏側に配置された裏基材と、表基材と裏基材との間に充填された芯材とを有する金属屋根材である、
請求項１から請求項１０までのいずれか一項に記載の屋根の施工方法。
【請求項１２】
前記下地材は、
野地板と、
前記野地板の妻側の上面に固定された角柱状ののぼり木と、
前記のぼり木を覆うためのケラバ水切と
を有し、
前記ケラバ水切は、前記野地板に重ねられるとともに前記のぼり木の反妻側の側面を覆うための水切部材と、前記のぼり木の妻側の側面及び上面を覆うためのケラバ部材とに分割可能とされている、
請求項１から請求項１１までのいずれか１項に記載の屋根の施工方法。
【請求項１３】
前記水切部材は、前記野地板上に載置されるための載置片と、前記のぼり木の反妻側の側面に沿うように前記載置片の妻側端部から起立された起立片と、前記起立片の上端部から反妻側に延出された上片と、前記上片の反妻側端部から下垂された下垂片とを有し、
前記ケラバ部材は、前記のぼり木の上面及び前記水切部材の前記上片を覆うための天板と、前記天板の反妻側端部から下垂されて前記水切部材の前記下垂片を覆うための被覆片とを有している、
請求項１２記載の屋根の施工方法。
【請求項１４】
前記下地材は、
複数の支持材と、
前記支持材の上に設置された板状の野地板と
を有し、
前記支持材が角形金属管である、
請求項１から請求項１３までのいずれか１項に記載の屋根の施工方法。
【請求項１５】
前記支持材の壁部には、前記支持材の長手方向に延在するリブが設けられている、
請求項１４記載の屋根の施工方法。
【請求項１６】
前記野地板と前記支持材とがビスで緊結されており、
前記支持材の内部には打ち抜きバリが形成されている、
請求項１４又は請求項１５に記載の屋根の施工方法。
【請求項１７】
前記支持材には、前記支持材を構成する金属板の両側部がカシメられたカシメ部が設けられている、
請求項１４から請求項１６までのいずれか１項に記載の屋根の施工方法。
【請求項１８】
前記屋根ユニットには、前記下地材が露出されている露出領域が設けられており、
前記露出領域において、前記支持材の内部まで連通された開口が前記複数の支持材の少なくとも１つ及び前記野地板に設けられており、
前記開口を通して前記支持材の内部まで吊上治具を挿入し、前記吊上治具を介して前記屋根ユニットを前記建物の上部に吊り上げる工程
をさらに含む、
請求項１４から請求項１７までのいずれか１項に記載の屋根の施工方法。
【請求項１９】
下地材と、前記下地材の上に並べて配置された複数の平板屋根材とをそれぞれ有し、互いに隣接するように建物の上部に配置された複数の屋根ユニットと、
前記屋根ユニット間の突合せ部分を覆う防水シートと
を備える、
屋根構造。
【請求項２０】
前記防水シートは、隣接する一対の屋根ユニットのいずれか一方から延出されている、
請求項１９記載の屋根構造。
【請求項２１】
前記屋根ユニットには、前記屋根ユニットが前記建物の上部に配置された際に前記建物の軒棟方向に係る前記屋根ユニットの少なくとも一方の端部に位置し、前記下地材が露出されている端部露出領域が設けられており、
前記防水シートは、前記突合せ部分を跨いで前記端部露出領域に重ねられている、
請求項１９又は請求項２０に記載の屋根構造。
【請求項２２】
隣接された前記端部露出領域を覆うように前記下地材に重ねられた端部カバー材
をさらに備え、
前記複数の平板屋根材は、前記建物の軒棟方向に関して軒側の平板屋根材に棟側の平板屋根材の一部が重ねられるように配置されており、
前記端部カバー材は、棟側の屋根ユニットの前記平板屋根材の下に挿入されるとともに、軒側の屋根ユニットの前記平板屋根材に重ねられている、
請求項２１記載の屋根構造。
【請求項２３】
前記端部カバー材は、平板屋根材である、
請求項２２記載の屋根構造。
【請求項２４】
前記端部カバー材を前記下地材に緊結するために前記端部カバー材に打ち込まれた緊結部材を覆い隠すように前記端部カバー材に重ねられた緊結部材カバー
をさらに備え、
前記緊結部材カバーは、
前記緊結部材に重ねられる基板部と、
前記基板部の一端から前記基板部の表側に折り返されており、前記棟側の屋根ユニットの平板屋根材の下に挿入されるとともに前記棟側の屋根ユニットの平板屋根材と係合する上部折返部と、
前記基板部の他端から前記基板部の裏側に折り返されており、前記端部カバー材の下に挿入されるとともに前記端部カバー材と係合する下部折返部と
を備えている、
請求項２２又は請求項２３に記載の屋根構造。
【請求項２５】
前記屋根ユニットには、前記屋根ユニットが前記建物の上部に配置された際に前記建物の軒方向に係る前記屋根ユニットの少なくとも一方の側部に位置し、前記下地材が露出されている側部露出領域が設けられており、
前記防水シートは、前記突合せ部分を跨いで前記側部露出領域に重ねられている、
請求項１９から請求項２４までのいずれか一項に記載の屋根構造。
【請求項２６】
各屋根ユニットは、前記建物の軒方向に関して互いの前記側部露出領域が隣接するように配置されている、
請求項２５記載の屋根構造。
【請求項２７】
前記側部露出領域を覆うように前記下地材に重ねられた側部カバー材
をさらに備え、
前記複数の平板屋根材は、前記建物の軒棟方向に関して軒側の平板屋根材に棟側の平板屋根材の一部が重ねられるように配置されており、
前記側部カバー材は、
平板状の側部カバー材本体と、
前記側部カバー材本体の一端に設けられた係合部と
を備え、
前記側部カバー材は、前記建物の軒方向に関して離間する一対の平板屋根材に前記側部カバー材本体が重ねられるとともに、前記一対の平板屋根材よりも棟側に位置する前記平板屋根材の下に前記側部カバー材本体の他端が挿入され、前記一対の平板屋根材の軒側端部に前記係合部が係合されるように配置されている、
請求項２５又は請求項２６記載の屋根構造。
【請求項２８】
前記側部カバー材は、前記側部カバー材本体の裏面側に配置されるとともに、前記一対の平板屋根材の間に挿入される芯材をさらに有している、
請求項２７に記載の屋根構造。
【請求項２９】
前記平板屋根材は、金属板を素材とする表基材と、表基材の裏側に配置された裏基材と、表基材と裏基材との間に充填された芯材とを有する金属屋根材である、
請求項１９から請求項２８までのいずれか一項に記載の屋根構造。
【請求項３０】
前記下地材は、
野地板と、
前記野地板の妻側の上面に固定された角柱状ののぼり木と、
前記のぼり木を覆うためのケラバ水切と
を有し、
前記ケラバ水切は、前記野地板に重ねられるとともに前記のぼり木の反妻側の側面を覆うための水切部材と、前記のぼり木の妻側の側面及び上面を覆うためのケラバ部材とに分割可能とされている、
請求項１９から請求項２９までのいずれか１項に記載の屋根構造。
【請求項３１】
前記水切部材は、前記野地板上に載置されるための載置片と、前記のぼり木の反妻側の側面に沿うように前記載置片の妻側端部から起立された起立片と、前記起立片の上端部から反妻側に延出された上片と、前記上片の反妻側端部から下垂された下垂片とを有し、
前記ケラバ部材は、前記のぼり木の上面及び前記水切部材の前記上片を覆うための天板と、前記天板の反妻側端部から下垂されて前記水切部材の前記下垂片を覆うための被覆片とを有している、
請求項３０記載の屋根構造。
【請求項３２】
前記下地材は、
複数の支持材と、
支持材の上に設置された板状の野地板と
を有し、
前記支持材が角形金属管である、
請求項１９から請求項３１までのいずれか１項に記載の屋根構造。
【請求項３３】
前記支持材の壁部には、前記支持材の長手方向に延在するリブが設けられている、
請求項３２記載の屋根構造。
【請求項３４】
前記野地板と前記支持材とがビスで緊結されており、
前記支持材の内部には打ち抜きバリが形成されている、
請求項３２又は請求項３３に記載の屋根構造。
【請求項３５】
前記支持材には、前記支持材を構成する金属板の両側部がカシメられたカシメ部が設けられている、
請求項３２から請求項３４までのいずれか１項に記載の屋根構造。
【請求項３６】
前記屋根ユニットには、前記下地材が露出されている露出領域が設けられており、
前記露出領域において、前記支持材の内部まで連通された開口が前記複数の支持材の少なくとも１つ及び前記野地板に設けられており、
前記開口を通して前記支持材の内部まで吊上治具を挿入し、前記吊上治具を介して前記屋根ユニットを前記建物の上部に吊り上げ可能に構成されている、
請求項３２から請求項３５までのいずれか１項に記載の屋根構造。
【請求項３７】
他の屋根ユニットに隣接するように建物の上部に配置される屋根ユニットであって、
下地材と、前記下地材の上に並べて配置された複数の平板屋根材とを有する屋根ユニット本体と、
前記屋根ユニット本体から延出されており、前記他の屋根ユニットとの突合せ部分を覆うための防水シートと
を備える、
屋根ユニット。
【請求項３８】
前記屋根ユニットが前記建物の上部に配置された際に前記建物の軒棟方向に係る前記屋根ユニットの少なくとも一方の端部に位置し、前記下地材が露出されている端部露出領域が設けられている、
請求項３７記載の屋根ユニット。
【請求項３９】
前記屋根ユニットが前記建物の上部に配置された際に前記建物の軒方向に係る前記屋根ユニットの少なくとも一方の側部に位置し、前記下地材が露出されている側部露出領域が設けられている、
請求項３７又は請求項３８に記載の屋根ユニット。
【請求項４０】
前記複数の平板屋根材は、前記建物の軒棟方向に関して軒側の平板屋根材に棟側の平板屋根材の一部が重ねられるように配置されている、
請求項３７から請求項３９までのいずれか１項に記載の屋根ユニット。
【請求項４１】
前記平板屋根材は、金属板を素材とする表基材と、表基材の裏側に配置された裏基材と、表基材と裏基材との間に充填された芯材とを有する金属屋根材である、
請求項３７から請求項４０までのいずれか一項に記載の屋根ユニット。
【請求項４２】
前記下地材は、
野地板と、
前記野地板の妻側の上面に固定された角柱状ののぼり木と、
前記のぼり木を覆うためのケラバ水切と
を有し、
前記ケラバ水切は、前記野地板に重ねられるとともに前記のぼり木の反妻側の側面を覆うための水切部材と、前記のぼり木の妻側の側面及び上面を覆うためのケラバ部材とに分割可能とされている、
請求項３７から請求項４１までのいずれか１項に記載の屋根ユニット。
【請求項４３】
前記水切部材は、前記野地板上に載置されるための載置片と、前記のぼり木の反妻側の側面に沿うように前記載置片の妻側端部から起立された起立片と、前記起立片の上端部から反妻側に延出された上片と、前記上片の反妻側端部から下垂された下垂片とを有し、
前記ケラバ部材は、前記のぼり木の上面及び前記水切部材の前記上片を覆うための天板と、前記天板の反妻側端部から下垂されて前記水切部材の前記下垂片を覆うための被覆片とを有している、
請求項４２記載の屋根ユニット。
【請求項４４】
前記下地材は、
複数の支持材と、
前記支持材の上に設置された板状の野地板と
を有し、
前記支持材が角形金属管である、
請求項３７から請求項４３までのいずれか１項に記載の屋根ユニット。
【請求項４５】
前記支持材の壁部には、前記支持材の長手方向に延在するリブが設けられている、
請求項４４記載の屋根ユニット。
【請求項４６】
前記野地板と前記支持材とがビスで緊結されており、
前記支持材の内部には打ち抜きバリが形成されている、
請求項４４又は請求項４５に記載の屋根ユニット。
【請求項４７】
前記支持材には、前記支持材を構成する金属板の両側部がカシメられたカシメ部が設けられている、
請求項４４から請求項４６までのいずれか１項に記載の屋根ユニット。
【請求項４８】
前記下地材が露出されている露出領域が設けられており、
前記露出領域において、前記支持材の内部まで連通された開口が前記複数の支持材の少なくとも１つ及び前記支持材に設けられており、
前記開口を通して前記支持材の内部まで吊上治具を挿入し、前記吊上治具を介して前記建物の上部に吊り上げ可能に構成されている、
請求項４４から請求項４７までのいずれか１項に記載の屋根ユニット。
【請求項４９】
建物の軒方向に隣接するように建物の上部に配置された一対の屋根ユニットの側部露出領域を覆うための側部カバー材であって、
前記屋根ユニットは、下地材と、前記下地材の上に並べて配置された複数の平板屋根材とをそれぞれ有し、前記複数の平板屋根材は、前記建物の軒棟方向に関して軒側の平板屋根材に棟側の平板屋根材の一部が重ねられるように配置されており、前記側部露出領域は、前記屋根ユニットが前記建物の上部に配置された際に前記建物の軒方向に係る前記屋根ユニットの少なくとも一方の側部に位置し、前記下地材が露出された領域であり、
平板状の側部カバー材本体と、
前記側部カバー材本体の一端に設けられた係合部と
を備え、
前記建物の軒方向に関して離間する一対の平板屋根材に前記側部カバー材本体が重ねられるとともに、前記一対の平板屋根材よりも棟側に位置する前記平板屋根材の下に前記側部カバー材本体の他端が挿入され、前記一対の平板屋根材の軒側端部に前記係合部が係合されるように配置される、
側部カバー材。
【請求項５０】
前記側部カバー材本体の裏面側に配置されるとともに、前記一対の平板屋根材の間に挿入される芯材
をさらに備える、
請求項４９記載の側部カバー材。
【請求項５１】
第１部材に打ち込まれた緊結部材を覆い隠すための緊結部材カバーであって、前記第１部材の一端は第２部材の下に挿入されており、
前記緊結部材に重ねられる基板部と、
前記基板部の一端から前記基板部の表側に折り返されており、前記第２部材の下に挿入されるとともに前記第２部材と係合するように適合された上部折返部と、
前記基板部の他端から前記基板部の裏側に折り返されており、前記第１部材の下に挿入されるとともに前記第１部材と係合するように適合された下部折返部と
を備えている、
緊結部材カバー。
【発明の詳細な説明】
【技術分野】
【０００１】
本発明は、建物の上部に複数の平板屋根材を並べて配置する屋根の施工方法及び屋根構造に関する。
【背景技術】
【０００２】
従来用いられていたこの種の屋根の施工方法としては、例えば下記の特許文献１等に示されている屋根の施工方法を挙げることができる。すなわち、従来方法では、建物の上部に複数の平板屋根材を一枚ずつ並べて配置している。
【先行技術文献】
【特許文献】
【０００３】
【特許文献１】特開２０１３−１０８３１１号公報
【発明の概要】
【発明が解決しようとする課題】
【０００４】
上記のような従来方法では、複数の平板屋根材を一枚ずつ屋根下地の上に配置しているので、屋根の施工に要する時間が長くなる。屋根の施工に要する時間を短くするために、複数の平板屋根材を下地材に緊結した屋根ユニットを予め準備し、その屋根ユニットを小屋組みの上に配置することも考えられる。しかしながら、屋根ユニットの突合せ部分には隙間が形成されて、止水性が低下してしまう。【０００５】
本発明は、上記のような課題を解決するためになされたものであり、その目的は、止水性の低下を抑えつつ、屋根の施工に要する時間を短くすることができる屋根の施工方法及び屋根構造並びにそれらに用いる屋根ユニット、側部カバー材及び緊結部材カバーを提供することである。
【課題を解決するための手段】
【０００６】
本発明に係る屋根の施工方法は、下地材と、下地材の上に並べて配置された複数の平板屋根材とをそれぞれ有する複数の屋根ユニットを互いに隣接するように建物の上部に配置する工程と、屋根ユニット間の突合せ部分を防水シートにより覆う工程とを含む。【０００７】
本発明に係る屋根構造は、下地材と、下地材の上に並べて配置された複数の平板屋根材とをそれぞれ有し、互いに隣接するように建物の上部に配置された複数の屋根ユニットと、屋根ユニット間の突合せ部分を覆う防水シートとを備える。【０００８】
本発明に係る屋根ユニットは、他の屋根ユニットに隣接するように建物の上部に配置される屋根ユニットであって、下地材と、下地材の上に並べて配置された複数の平板屋根材とを有する屋根ユニット本体と、屋根ユニット本体から延出されており、他の屋根ユニットとの突合せ部分を覆うための防水シートとを備える。【０００９】
本発明に係る側部カバー材は、建物の軒方向に隣接するように建物の上部に配置された一対の屋根ユニットの側部露出領域を覆うための側部カバー材であって、屋根ユニットは、下地材と、下地材の上に並べて配置された複数の平板屋根材とをそれぞれ有し、複数の平板屋根材は、建物の軒棟方向に関して軒側の平板屋根材に棟側の平板屋根材の一部が重ねられるように配置されており、側部露出領域は、屋根ユニットが建物の上部に配置された際に建物の軒方向に係る屋根ユニットの少なくとも一方の側部に位置し、下地材が露出された領域であり、平板状の側部カバー材本体と、側部カバー材本体の一端に設けられた係合部とを備え、建物の軒方向に関して離間する一対の平板屋根材に側部カバー材本体が重ねられるとともに、一対の平板屋根材よりも棟側に位置する平板屋根材の下に側部カバー材本体の他端が挿入され、一対の平板屋根材の軒側端部に係合部が係合されるように配置される。【００１０】
本発明に係る緊結部材カバーは、第１部材に打ち込まれた緊結部材を覆い隠すための緊結部材カバーであって、第１部材の一端は第２部材の下に挿入されており、緊結部材に重ねられる基板部と、基板部の一端から基板部の表側に折り返されており、第２部材の下に挿入されるとともに第２部材と係合するように適合された上部折返部と、基板部の他端から基板部の裏側に折り返されており、第１部材の下に挿入されるとともに第１部材と係合するように適合された下部折返部とを備えている。
【発明の効果】
【００１１】
本発明の屋根の施工方法及び屋根構造では、屋根ユニット間の突合せ部分を防水シートが覆うので、止水性の低下を抑えつつ、屋根の施工に要する時間を短くすることができる。【００１２】
本発明の屋根ユニットでは、屋根ユニット本体から防水シートが延出されているので、屋根の施工に要する時間をより確実に短くすることができる。【００１３】
本発明の側部カバー材では、建物の軒方向に関して離間する一対の平板屋根材に側部カバー材本体が重ねられるとともに、一対の平板屋根材よりも棟側に位置する平板屋根材の下に側部カバー材本体の他端が挿入され、一対の平板屋根材の軒側端部に係合部が係合されるように配置されるので、側部カバー材が目立つことを回避しつつ、屋根ユニットの側部露出領域をより確実に覆うことができる。【００１４】
本発明の緊結部材カバーでは、第１部材に打ち込まれた緊結部材に基板部が重ねられ、基板部の一端から基板部の表側に折り返された上部折返部が第２部材の下に挿入されるとともに第２部材と係合し、基板部の他端から基板部の裏側に折り返された下部折返部が第１部材の下に挿入されるとともに第１部材と係合するので、緊結部材の腐食を抑えることができるとともに、より長期的に緊結部材カバーの外れを防止することができる。
【図面の簡単な説明】
【００１５】
【図１】本発明の実施の形態１による屋根構造を示す斜視図である。
【図２】図１の屋根構造を示す平面図である。
【図３】図２の第１屋根ユニットを示す斜視図である。
【図４】図３の第１屋根ユニットを示す平面図である。
【図５】図３のケラバ水切を示す正面図である。
【図６】図３の垂木部材を示す斜視図である。
【図７】図６の垂木部材７８を示す正面図である。
【図８】図４の平板屋根材を示す斜視図である。
【図９】図８の線ＩＸ−ＩＸに沿う平板屋根材の断面図である。
【図１０】図９の吊子を示す斜視図である。
【図１１】図２の第２屋根ユニットを示す斜視図である。
【図１２】図１１の第２屋根ユニットを示す平面図である。
【図１３】図２の第３屋根ユニットを示す斜視図である。
【図１４】図１１の第３屋根ユニットを示す平面図である。
【図１５】図２の第４屋根ユニットを示す斜視図である。
【図１６】図１５の第４屋根ユニットを示す平面図である。
【図１７】図１の側部カバー材を示す斜視図である。
【図１８】図１の屋根構造１を製造するための屋根の施工方法を示すフローチャートである。
【図１９】図１８のユニット配置工程及び突合せカバー工程を示す説明図である。
【図２０】図１９の端部カバー工程において端部カバー材が取り付けられる直前の状態を示す説明図である。
【図２１】図２０の端部カバー材の取り付けが完了した状態を示す説明図である。
【図２２】図１８の側部カバー工程を示す説明図である。
【図２３】本発明の実施の形態２による屋根構造１を示す斜視図である。
【図２４】図２３の緊結部材カバーを示す平面図である。
【図２５】図２４の緊結部材カバーを示す側面図である。
【図２６】図２４の緊結部材カバーを示す背面図である。
【図２７】図２３の緊結部材カバーが取り付けられる状態を示す説明図である。
【図２８】図２５の緊結部材カバーと端部カバー材及び平板屋根材との関係を示す説明図である。
【図２９】本発明の実施の形態３による屋根構造に含まれる屋根ユニットを示す斜視図である。
【図３０】図２９の屋根ユニットを示す底面図である。
【図３１】図２９の屋根ユニットを吊り上げるための吊上治具を示す正面図である。
【発明を実施するための形態】
【００１６】
以下、本発明を実施するための形態について、図面を参照して説明する。本発明は各実施の形態に限定されるものではなく、その要旨を逸脱しない範囲で構成要素を変形して具体化できる。また、各実施形態に開示されている複数の構成要素の適宜な組み合わせにより、種々の発明を形成できる。例えば、実施の形態に示される全構成要素からいくつかの構成要素を削除してもよい。さらに、異なる実施形態の構成要素を適宜組み合わせてもよい。
【００１７】
実施の形態１．
＜屋根構造について＞
図１は本発明の実施の形態１による屋根構造１を示す斜視図であり、図２は図１の屋根構造を示す平面図である。図１及び図２に示す屋根構造１は、例えば家屋等の建物の上部において屋根を構成する構造体である。本実施の形態の屋根構造１は、複数の屋根ユニット２、複数の端部カバー材３及び複数の側部カバー材４を含んでいる。
【００１８】
各屋根ユニット２は、互いに隣接するように建物の上部に配置されている。本実施の形態の屋根構造１では、図２の一点鎖線で区切られる１２区域に屋根ユニット２が１つずつ配置されている。すなわち、建物の軒方向５に関して３つの屋根ユニット２が互いに隣接して配置されている。また、それら３つの屋根ユニット２を１つの屋根ユニット列として、建物の軒棟方向６に関して４つの屋根ユニット列が互いに隣接して配置されている。１２個の屋根ユニット２により１つの屋根面が構成されている。屋根構造１に含まれる屋根ユニット２及び屋根ユニット列の数は任意である。
【００１９】
図２の右下側に位置する区域Ｉ〜ＩＶに配置された屋根ユニット２をそれぞれ第１屋根ユニット２１、第２屋根ユニット２２、第３屋根ユニット２３及び第４屋根ユニット２４と呼ぶ。後に図を用いて第１〜第４屋根ユニット２１〜２４の構成を具体的に説明する。
【００２０】
各端部カバー材３は、建物の軒棟方向６に関する屋根ユニット２の端部を覆う部材である。すなわち、各端部カバー材３は、建物の軒棟方向６に関して互いに隣接する一対の屋根ユニット２の端部に重ねられている。
【００２１】
各側部カバー材４は、建物の軒方向５に関する屋根ユニット２の側部を覆う部材である。すなわち、各側部カバー材４は、建物の軒方向５に関して互いに隣接する一対の屋根ユニット２の側部に重ねられている。
【００２２】
＜第１屋根ユニットについて＞
次に、図３は図２の第１屋根ユニット２１を示す斜視図であり、図４は図３の第１屋根ユニット２１を示す平面図である。図３及び図４に示す第１屋根ユニット２１は、建物の最も軒側かつ最もケラバ側に配置される屋根ユニット２である。第１屋根ユニット２１は、奥行方向２１ｄに比べて幅方向２１ｗに長い横長の矩形の外形を有しており、建物の軒方向５に幅方向２１ｗが沿うとともに建物の軒棟方向６に奥行方向２１ｄが沿うように建物の上部に配置されるように適合されている。
【００２３】
本実施の形態の第１屋根ユニット２１は、下地材７と、下地材７の上に並べて配置された複数の平板屋根材８とを有している。
【００２４】
下地材７は、第１屋根ユニット２１の下部を構成する部材であり、複数の平板屋根材８を支持している。本実施の形態の第１屋根ユニット２１の下地材７には、野地板７０、第１防水シート７１、のぼり木７２、第２防水シート７３、ケラバ水切７４、軒先水切７５、保護材７６、軒板７７及び複数の垂木部材７８（支持材）が含まれている。
【００２５】
野地板７０は、矩形の板状部材であり、例えば合板等により構成されることができる。第１防水シート７１は、野地板７０の上面全体を覆うシート部材であり、例えばアスファルトルーフィング等により構成されることができる。なお、図３の手前側部分は、下地材７の構成を示すために第１防水シート７１等の構成を一部分切り欠いた状態で描いている。
【００２６】
のぼり木７２は、幅方向２１ｗに関する野地板７０の妻側の上面に配置された角材である。妻側とは、屋根の軒方向にかかる屋根の端部側を意味する。のぼり木７２は、屋根の軒端と棟端との間で軒棟方向に延在される。のぼり木７２の下面と野地板７０の上面との間には、第１防水シート７１が介在されている。
【００２７】
第２防水シート７３は、のぼり木７２の両側の側面及び上面を覆うシート部材であり、第１防水シート７１と同様に例えばアスファルトルーフィング等により構成されることができる。第２防水シート７３は、第１防水シート７１に重ねられるように、のぼり木７２から幅方向２１ｗに関する野地板７０の他端に向けて延在されている。
【００２８】
ケラバ水切７４は、幅方向２１ｗに関する野地板７０の一端においてのぼり木７２及び第２防水シート７３に重ねられた部材である。ケラバ水切７４は、例えば金属板の成形材等により構成されることができる。ケラバ水切７４は、野地板７０の裏面よりも下方に延出された舌片７４ａを有している。この舌片７４ａにより、例えば雨水等のケラバ水切７４に付着した水分が野地板７０に伝わることなく落下される。舌片７４ａとのぼり木７２との間に破風板が設けられてもよい。
【００２９】
ケラバ水切７４は、奥行方向２１ｄに関する野地板７０の一端において第１及び第２防水シート７１，７３に重ねられた部材である。ケラバ水切７４は、例えば金属板の成形材等により構成されることができる。軒先水切７５は、ケラバ水切７４と同様に野地板７０の裏面よりも下方に延出された舌片７５ａを有している。この舌片７５ａにより、例えば雨水等の軒先水切７５に付着した水分が野地板７０に伝わることなく落下される。
【００３０】
保護材７６は、幅方向２１ｗ及び奥行方向２１ｄに関する野地板７０の他端において野地板７０の側部及び端部に重ねられた部材である。保護材７６は、ケラバ水切７４及び軒先水切７５が設けられている位置とは逆の位置において、野地板７０の側部及び端部を保護している。保護材７６は、例えばＬ字状又はコ字状の金属板の成形材等により構成されることができる。
【００３１】
軒板７７は、平板屋根材８と同程度の厚みを有する板状部材であり、奥行方向２１ｄに関する野地板７０の一端において第１及び第２防水シート７１，７３並びに軒先水切７５に重ねられている。最も軒側に配置される平板屋根材８の軒側端部が軒板７７に重ねられることで、その平板屋根材８が他の平板屋根材８と同程度の傾斜角度で延在される。
【００３２】
複数の垂木部材７８は、奥行方向２１ｄに延在する長手状の部材であり、幅方向２１ｗに互いに間隔をおいて野地板７０の下部に配置されている。垂木部材７８は、のぼり木７２と同様に屋根の軒端と棟端との間で軒棟方向に延在される。垂木部材７８は、野地板７０の下部に固定されている。
【００３３】
平板屋根材８は、奥行方向２１ｄに比べて幅方向２１ｗに長い横長の矩形の外形を有する平板状の屋根材である。各平板屋根材８は、建物の軒棟方向６（第１屋根ユニット２１の奥行方向２１ｄ）に関して軒側の平板屋根材８に棟側の平板屋根材８の一部が重ねられるように配置されている。棟側の平板屋根材８の軒側端部から軒側の平板屋根材８が突出されている幅は、働き幅と呼ばれる。
【００３４】
軒側の平板屋根材８を軒側屋根材８Ｅと呼び、棟側の平板屋根材８を棟側屋根材８Ｒと呼ぶことがある。これら軒側屋根材８Ｅ及び棟側屋根材８Ｒとの用語は、建物の軒棟方向６に係る２つの平板屋根材８を区別するための用語であり、屋根全体の中での特定の位置を規定するものではない。軒側屋根材８Ｅの軒側に別の平板屋根材８が配置されていてよく、棟側屋根材８Ｒの棟側に別の平板屋根材８が配置されていてよい。
【００３５】
本実施の形態の第１屋根ユニット２１には、端部露出領域２１０及び側部露出領域２１１が設けられている。端部露出領域２１０は、第１屋根ユニット２１が建物の上部に配置された際に建物の軒棟方向６に係る第１屋根ユニット２１の一方の端部（棟側）に位置する領域であって、平板屋根材８によって覆われずに下地材７が露出されている領域である。側部露出領域２１１は、第１屋根ユニット２１が建物の上部に配置された際に建物の軒方向５に係る第１屋根ユニット２１の一方の側部（反ケラバ側）に位置する領域であって、平板屋根材８によって覆われずに下地材７が露出されている領域である。これら端部露出領域２１０及び側部露出領域２１１は、後に詳しく説明するように屋根ユニット２間の突合せ部分を防水シートにより覆う際に利用される。
【００３６】
＜ケラバ水切について＞
図５は、図３のケラバ水切７４を示す正面図である。ケラバ水切７４は、のぼり木７２を覆うための部材である。本実施の形態のケラバ水切７４は、野地板７０の妻側端部も覆っている。ケラバ水切７４は、のぼり木７２及び垂木部材７８と同様に、屋根の軒端と棟端との間で軒棟方向に延在されている。のぼり木７２は、例えばビス又は釘等により構成される緊結部材７２ｄにより野地板７０に固定されている。本実施の形態の緊結部材７２ｄは、上方からのぼり木７２に打ち込まれており、野地板７０を貫通して垂木部材７８まで到達している。換言すると、本実施の形態の緊結部材７２ｄは、のぼり木７２を野地板７０及び垂木部材７８に固定している。垂木部材７８の側部には、破風板７９が配置されている。
【００３７】
本実施の形態のケラバ水切７４は、２つの部材に分割可能とされている。すなわち、本実施の形態のケラバ水切７４には、水切部材７４１及びケラバ部材７４２が設けられている。
【００３８】
水切部材７４１は、野地板７０に重ねられるとともにのぼり木７２の反妻側の側面７２ａを覆うための部材である。水切部材７４１は、平板状の載置片７４１１と、載置片７４１１の妻側端部から起立された起立片７４１２と、起立片７４１２の上端部から反妻側に延出された上片７４１３と、上片７４１３の反妻側端部から下垂された下垂片７４１４と、下垂片７４１４の下端から上方に折り返された折返片７４１５とを有している。水切部材７４１は、野地板７０上に載置片７４１１が載置されるとともに、のぼり木７２の反妻側の側面７２ａに起立片７４１２が沿うように配置される。本実施の形態の水切部材７４１の起立片７４１２、上片７４１３及び下垂片７４１４は、のぼり木７２の上方にかからずにのぼり木７２の側部から反妻側に折り返された部分として捉えることもできる。
【００３９】
ケラバ部材７４２は、のぼり木７２の妻側の側面７２ｂ及び上面７２ｃを覆うための部材である。ケラバ部材７４２は、平板状の天板７４２１と、天板７４２１の反妻側端部から下垂された被覆片７４２２と、被覆片７４２２の下端から妻側に延出された下片７４２３と、下片７４２３の妻側端部から起立された起立片７４２４と、起立片７４２４の上端から妻側に折り返された第１折返片７４２５と、天板７４２１の妻側端部から下垂された側片７４２６と、側片７４２６の下端から上方に折り返された第２折返片７４２７とを有している。ケラバ部材７４２は、側片７４２６がのぼり木７２の妻側の側面７２ｂを覆い、天板７４２１がのぼり木７２の上面７２ｃ及び水切部材７４１の上片７４１３を覆うように配置される。また、ケラバ部材７４２は、被覆片７４２２が水切部材７４１の下垂片７４１４を覆い、下片７４２３が反妻側に向けて水切部材７４１の下垂片７４１４の下方を通り、起立片７４２４及び第１折返片７４２５が水切部材７４１の起立片７４１２、上片７４１３及び下垂片７４１４で囲まれる空間内に収まるように配置される。水切部材７４１の載置片７４１１とケラバ部材７４２の下片７４２３との間の空間に平板屋根材８が挿入されている。
【００４０】
ケラバ部材７４２が除去されることにより、のぼり木７２の上面が露出される。第１屋根ユニット２１の左右両側に、すなわち第１屋根ユニット２１の側部露出領域２１１（図３参照）及びのぼり木７２に吊具を取り付けて、その吊具を用いて第１屋根ユニット２１を吊り上げることができる。
【００４１】
＜垂木部材について＞
次に、図６は図３の垂木部材７８を示す斜視図であり、図７は図６の垂木部材７８を示す正面図である。なお、図６で、図３の野地板７０を合わせて示している。本実施の形態の垂木部材７８は、角形金属管によって構成されている。また、本実施の形態の垂木部材７８は、閉鎖断面を有している。より具体的には、本実施の形態の垂木部材７８は、長壁７８０及び短壁７８１を有する断面長方形状の角形金属管によって構成されている。長壁７８０及び短壁７８１は、垂木部材７８の壁部を構成する。図７に示すように、本実施の形態の垂木部材７８は、長壁７８０の延在方向を上下方向とし、短壁７８１の上に図３の野地板７０が載せられるように適合されている。但し、角形金属管の断面形状は、任意であり、例えば正方形又は台形等の他の形状であってもよい。垂木部材７８が閉鎖断面を有する角形金属管とされることで、垂木部材７８を薄肉化して軽量化しても強度を確保でき、施工性を向上できる。また、仮に垂木部材７８が木材で構成されていると垂木部材７８に撓みが生じ、各屋根ユニット２１〜２４の配置に支障を来す虞がある。垂木部材７８を角形金属管によって構成することで、そのような虞を低減できる。
【００４２】
角形金属管の素材としては、冷延鋼板、ステンレス鋼板若しくはアルミニウム板又はこれらに表面処理を施したものを使用することができる。表面処理には、めっき及び塗装が含まれる。特に、めっきには、Ｚｎ−Ａｌ−Ｍｇ合金めっきが含まれる。角形金属管の肉厚は、０．８ｍｍ程度とすることができる。
【００４３】
短壁７８１には、垂木部材７８の長手方向に延在されたリブ７８３が設けられている。このようなリブ７８３が短壁７８１に設けられていることで、垂木部材７８の長手方向に直交する方向に沿って垂木部材７８に加えられる外力に対する垂木部材７８の剛性を向上できる。本実施の形態のリブ７８３は、短壁７８１の幅方向に間隔を置いて配置された複数の凹部を有している。本実施の形態の複数の凹部は、第１及び第２凹部群７８３１，７８３２を形成している。第１及び第２凹部群７８３１，７８３２は、短壁７８１の幅方向に係る中央部に形成された平板部７８３３の両側に配置されている。なお、リブ７８３は、短壁７８１の幅方向に間隔を置いて配置された複数の凸部を有していてもよい。
【００４４】
図７に示しているように、野地板７０を垂木部材７８に緊結するビス７８ａは、短壁７８１を貫通して垂木部材７８の内側に進入している。垂木部材７８の内側には、ビス７８ａを取り囲むように打ち抜きバリ７８４が形成されている。打ち抜きバリ７８４は、ビス７８ａに絡みつきビス７８ａの引き抜きを阻害する。
【００４５】
垂木部材７８には、垂木部材７８を構成する金属板（素材金属板）の両側部がカシメられたカシメ部７８５が設けられている。換言すると、本実施の形態の垂木部材７８では、素材金属板の両側部を溶接により接合していない。素材金属板として表面処理を施した金属板を用いる場合、素材金属板の両側部を溶接すると、接合部の表面処理が除去されてしまう。表面処理が除去されると接合部から腐食が生じやすくなる。また、接合部に対して表面処理の補修を行う必要が生じる。素材金属板の両側部をカシメにより接合することで、このような問題の発生を回避することができる。本実施の形態のカシメ部７８５は、素材金属板の両側部がハゼ折りされたハゼ折り部により構成されている。
【００４６】
＜平板屋根材について＞
次に、図８は図４の平板屋根材８を示す斜視図であり、図９は図８の線ＩＸ−ＩＸに沿う平板屋根材８の断面図であり、図１０は図８の吊子８１を示す斜視図である。図８に示すように、平板屋根材８は、屋根材本体８０と複数の吊子８１とを有している。
【００４７】
図９に示すように、本実施の形態の屋根材本体８０は、金属板を素材とする表基材８００、表基材８００の裏側に配置された裏基材８０１、及び表基材８００と裏基材８０１との間に充填された芯材８０２を有する金属屋根材によって構成されている。
【００４８】
表基材８００は、裏側に開口を有する箱形に金属板が成形されたものであり、平板屋根材８が下地材７の上に配置された際に屋根の外面に現れる部材である。表基材８００の素材である金属板としては、溶融亜鉛めっき鋼板、溶融アルミニウム−亜鉛合金めっき鋼板、溶融亜鉛−アルミニウム−マグネシウム合金めっき鋼板、溶融アルミニウムめっき鋼板、溶融亜鉛めっきステンレス鋼板、溶融アルミニウム−亜鉛合金めっきステンレス鋼板、溶融亜鉛−アルミニウム−マグネシウム合金めっきステンレス鋼板、溶融アルミニウムめっきステンレス鋼板、ステンレス鋼板、Ａｌ板、Ｔｉ板、塗装溶融亜鉛めっき鋼板、塗装溶融アルミニウム−亜鉛合金めっき鋼板、塗装溶融亜鉛−アルミニウム−マグネシウム合金めっき鋼板、塗装アルミニウムめっき鋼板、塗装溶融亜鉛めっきステンレス鋼板、塗装溶融アルミニウム−亜鉛合金めっきステンレス鋼板、塗装溶融亜鉛−アルミニウム−マグネシウム合金めっきステンレス鋼板、塗装溶融アルミニウムめっきステンレス鋼板、塗装ステンレス鋼板、塗装Ａｌ板、塗装Ｔｉ板を用いることができる。
【００４９】
金属板の厚みは０．５ｍｍ以下であることが好ましい。金属板の厚みの増加に伴い、平板屋根材８の強度が増大する一方で重量が増す。金属板の厚みを０．５ｍｍ以下とすることで、平板屋根材８の重量が大きくなりすぎることを回避できる。なお、金属板の厚みが０．２７ｍｍ以上であることが好ましい。金属板の厚みを０．２７ｍｍ以上とすることで、平板屋根材８として必要とされる強度を確保でき、耐風圧性能を十分に得ることができる。耐風圧性能とは、強い風に対して座屈せずに平板屋根材８が耐えられる性能である。
【００５０】
裏基材８０１は、表基材８００の裏側の開口を塞ぐように表基材８００の裏側に配置されている。裏基材８０１としては、アルミ箔、アルミ蒸着紙、水酸化アルミ紙、炭酸カルシウム紙、樹脂フィルム又はガラス繊維紙等の軽量な素材を用いることができる。これらの軽量な素材を裏基材８０１に用いることで、平板屋根材８の重量が増大することを回避することができる。
【００５１】
芯材８０２は、例えば発泡樹脂等により構成されるものであり、表基材８００と裏基材８０１との間に充填されている。表基材８００と裏基材８０１との間に芯材８０２が充填されることで、樹脂シート等の裏打ち材を表基材８００の裏側に張り付ける態様よりも、表基材８００の内部に芯材８０２を強固に密着させることができ、雨音性、断熱性等の平板屋根材８に求められる性能を向上させることができる。芯材８０２として、予め成形された板状の断熱フォームを使用してもよい。
【００５２】
芯材８０２の素材としては、特に制限が無く、ウレタン、フェノール、ヌレート樹脂等を用いることができる。ただし、屋根材においては不燃認定材料を使用することが望ましい。不燃材料認定試験は、ＩＳＯ５６６０−１コーンカロリーメーター試験法に準拠した発熱性試験が実施される。芯材８０２となる発泡樹脂が発熱量の多いウレタンなどの場合は、表基材８００の全体としての厚みを薄くしたり、発泡樹脂に無機発泡粒子を含有させたりすることができる。
【００５３】
芯材８０２が充填される表基材８００の内部空間の高さは、４ｍｍ以上かつ８ｍｍ以下とされることが好ましい。内部空間の高さを４ｍｍ以上とすることで、表基材８００の強度を十分に高くすることができ、耐風圧性を向上させることができる。断熱性についても４ｍｍ以上で良好となる。また、内部空間の高さを８ｍｍ以下とすることで、芯材８０２の有機質量が多くなりすぎることを回避して、より確実に不燃材料認定を得ることができるようにしている。
【００５４】
図８に戻り、表基材８００の表面には、平板屋根材８の幅方向８ｗに係る両側であって、平板屋根材８が下地材７の上に配置された際に軒側に位置する場所に打込表示部８０３が設けられている。打込表示部８０３は、例えば釘又はビス等の緊結部材を平板屋根材８に打ち込む位置を表すための構成である。本実施の形態の打込表示部８０３は、平面視円形の凹部により構成されている。しかしながら、打込表示部８０３は、例えば突体、開口又は印刷若しくは刻設された記号等、緊結部材の打込み位置を作業者が視覚的又は触覚的に認識できる他の態様を採ることもできる。
【００５５】
＜吊子について＞
図８に示すように、吊子８１は、平板屋根材８の幅方向８ｗに互いに離間して、平板屋根材８の奥行方向８ｄに係る一端側（棟側）において屋根材本体８０に緊結されている。
【００５６】
図１０に示すように、吊子８１は、吊子本体８１０、第１係合部８１１及び第２係合部８１２を有している。
【００５７】
吊子本体８１０は、平板屋根材８の奥行方向８ｄに延在される平板部分である。
【００５８】
第１係合部８１１は、屋根材本体８０の棟側端縁に係合されるための部分であり、奥行方向８ｄに係る吊子本体８１０の一端側に設けられている。本実施の形態の第１係合部８１１は、断面Ｌ字状に形成されている。
【００５９】
第２係合部８１２は、奥行方向８ｄに係る吊子本体８１０の他端側に設けられている。本実施の形態の第２係合部８１２は、断面コ字状に形成されている。図５に示すように、平板屋根材８は、建物の軒棟方向６（第１屋根ユニット２１の奥行方向２１ｄ）に関して軒側屋根材８Ｅに棟側屋根材８Ｒの一部が重ねられるように配置される。図１等に現れているように、第２係合部８１２には棟側屋根材８Ｒの軒側端部が係合される。
【００６０】
屋根材本体８０の棟側端縁からの第２係合部８１２の位置は、第１係合部８１１及び吊子本体８１０によって規定される。第２係合部８１２に棟側屋根材８Ｒの軒側端部が係合されることで、軒側屋根材８Ｅの働き幅又は軒側屋根材８Ｅと棟側屋根材８Ｒとの重なり幅が一定寸法とされる。吊子本体８１０の長さを変更することにより、軒側屋根材８Ｅの働き幅を変更することができる。
【００６１】
＜第２屋根ユニットについて＞
次に、図１１は図２の第２屋根ユニット２２を示す斜視図であり、図１２は図１１の第２屋根ユニット２２を示す平面図である。図１１及び図１２に示す第２屋根ユニット２２は、上述の第１屋根ユニット２１に隣接して、建物の最も軒側かつケラバから離れた位置に配置される屋根ユニット２である。第２屋根ユニット２２は、建物の軒方向５に幅方向２２ｗが沿うとともに建物の軒棟方向６に奥行方向２２ｄが沿うように建物の上部に配置されるように適合されている。
【００６２】
本実施の形態の第２屋根ユニット２２は、上述の第１屋根ユニット２１と同様に下地材７及び複数の平板屋根材８を有している。但し、第２屋根ユニット２２の下地材７は、第１屋根ユニット２１の下地材７と比較して、のぼり木７２、第２防水シート７３及びケラバ水切７４が省略されている。
【００６３】
上述の第１屋根ユニット２１の側部露出領域２１１は、第１屋根ユニット２１が建物の上部に配置された際に建物の軒方向５に係る第１屋根ユニット２１の一方の側部（反ケラバ側部）のみに設けられている（図３及び図４参照）。しかしながら、第２屋根ユニット２２の側部露出領域２１１は、第２屋根ユニット２２が建物の上部に配置された際に建物の軒方向５に係る第２屋根ユニット２２の両方の側部に設けられている。
【００６４】
第２屋根ユニット２２の第１防水シート７１は、幅方向２２ｗに係る野地板７０の側端から幅方向２２ｗにさらに延出された幅方向延出部７１ａを有している。幅方向延出部７１ａを除く第２屋根ユニット２２の構成材を屋根ユニット本体と呼び、幅方向延出部７１ａを屋根ユニット本体から延出された防水シートと呼ぶことができる。後に図を用いて説明するように、第２屋根ユニット２２の幅方向延出部７１ａは、第１屋根ユニット２１と第２屋根ユニット２２との突合せ部分を覆うために使用される。第２屋根ユニット２２のその他の構成は、上述の第１屋根ユニット２１の構成と同様である。
【００６５】
＜第３屋根ユニットについて＞
次に、図１３は図２の第３屋根ユニット２３を示す斜視図であり、図１４は図１３の第３屋根ユニット２３を示す平面図である。図１３及び図１４に示す第３屋根ユニット２３は、上述の第１屋根ユニット２１に隣接して、建物の軒から離れた位置かつ最もケラバ側に配置される屋根ユニット２である。第３屋根ユニット２３は、建物の軒方向５に幅方向２３ｗが沿うとともに建物の軒棟方向６に奥行方向２３ｄが沿うように建物の上部に配置されるように適合されている。
【００６６】
本実施の形態の第３屋根ユニット２３は、上述の第１屋根ユニット２１と同様に下地材７及び複数の平板屋根材８を有している。但し、第３屋根ユニット２３の下地材７は、第１屋根ユニット２１の下地材７と比較して、軒先水切７５及び軒板７７が省略されている。
【００６７】
第３屋根ユニット２３の第１防水シート７１は、奥行方向２３ｄに係る野地板７０の端部から奥行方向２３ｄにさらに延出された奥行方向延出部７１ｂを有している。奥行方向延出部７１ｂを除く第３屋根ユニット２３の構成材を屋根ユニット本体と呼び、奥行方向延出部７１ｂを屋根ユニット本体から延出された防水シートと呼ぶことができる。後に図を用いて説明するように、第３屋根ユニット２３の奥行方向延出部７１ｂは、第１屋根ユニット２１と第３屋根ユニット２３との突合せ部分を覆うために使用される。第３屋根ユニット２３のその他の構成は、上述の第１及び第２屋根ユニット２１，２２の構成と同様である。
【００６８】
＜第４屋根ユニットについて＞
次に、図１５は図２の第４屋根ユニット２４を示す斜視図であり、図１６は図１５の第４屋根ユニット２４を示す平面図である。図１５及び図１６に示す第４屋根ユニット２４は、上述の第２及び第３屋根ユニット２２，２３に隣接して、建物の軒及びケラバから離れた位置に配置される屋根ユニット２である。第４屋根ユニット２４は、建物の軒方向５に幅方向２４ｗが沿うとともに建物の軒棟方向６に奥行方向２４ｄが沿うように建物の上部に配置されるように適合されている。
【００６９】
本実施の形態の第４屋根ユニット２４は、上述の第１屋根ユニット２１と同様に下地材７及び複数の平板屋根材８を有している。但し、第４屋根ユニット２４の下地材７は、第１屋根ユニット２１の下地材７と比較して、のぼり木７２、第２防水シート７３、ケラバ水切７４、軒先水切７５及び軒板７７が省略されている。
【００７０】
第４屋根ユニット２４の第１防水シート７１は、幅方向２４ｗに係る野地板７０の側端から幅方向２４ｗにさらに延出された幅方向延出部７１ａと、奥行方向２４ｄに係る野地板７０の端部から奥行方向２４ｄにさらに延出された奥行方向延出部７１ｂとを有している。これら幅方向延出部７１ａ及び奥行方向延出部７１ｂを除く第４屋根ユニット２４の構成材を屋根ユニット本体と呼び、幅方向延出部７１ａ及び奥行方向延出部７１ｂを屋根ユニット本体から延出された防水シートと呼ぶことができる。後に図を用いて説明するように、第４屋根ユニット２４の幅方向延出部７１ａは、第３屋根ユニット２３と第４屋根ユニット２４との突合せ部分を覆うために使用される。また、第４屋根ユニット２４の奥行方向延出部７１ｂは、第２屋根ユニット２２と第４屋根ユニット２４との突合せ部分を覆うために使用される。第４屋根ユニット２４のその他の構成は、上述の第１〜第３屋根ユニット２１〜２３の構成と同様である。
【００７１】
＜端部カバー材について＞
次に、図１の端部カバー材３についてより詳細に説明する。端部カバー材３は、屋根ユニット２（第１〜第４屋根ユニット２１〜２４）の端部露出領域２１０を覆うために使用される。本実施の形態の端部カバー材３としては、屋根ユニット２に含まれるものと同様の平板屋根材８（金属屋根材）が使用される（図８参照）。但し、屋根ユニット２の平板屋根材８は側部露出領域２１１を形成するために野地板７０よりも幅狭なものが使用されているが（図４等参照）、端部カバー材３としての平板屋根材８は野地板７０と同程度の幅を有するものが使用される。
【００７２】
＜側部カバー材について＞
次に、図１７は、図１の側部カバー材４を示す斜視図である。側部カバー材４は、屋根ユニット２（第１〜第４屋根ユニット２１〜２４）の側部露出領域２１１を覆うために使用される。本実施の形態の側部カバー材４は、建物の軒方向５に幅方向４ｗが沿うとともに建物の軒棟方向６に奥行方向４ｄが沿うように建物の上部に配置されるように適合されている。
【００７３】
本実施の形態の側部カバー材４は、平板状の側部カバー材本体４０と、奥行方向４ｄに係る側部カバー材本体４０の一端に設けられた係合部４１と、側部カバー材本体４０の裏面側に配置された芯材４２とを有している。本実施の形態の側部カバー材本体４０及び係合部４１は、１枚の金属板により構成されており、互いに一体的に設けられている。
【００７４】
側部カバー材本体４０は、側部カバー材４の幅方向４ｗ及び奥行方向４ｄに延在されている。
【００７５】
後に図を用いて説明するように、側部カバー材本体４０は、建物の軒方向５に関して離間する一対の平板屋根材８（例えば第１屋根ユニット２１の平板屋根材８及び第２屋根ユニット２２の平板屋根材８）に重ねられる。すなわち、側部カバー材本体４０は、建物の軒方向５に関して隣接された一対の屋根ユニット２の軒方向５に関する平板屋根材８の離間距離よりも大きな幅を有している。
【００７６】
また、奥行方向４ｄに係る側部カバー材本体４０の他端４０ａは、側部カバー材本体４０が重ねられる一対の平板屋根材８よりも棟側に位置する平板屋根材８の下に挿入される。すなわち、奥行方向４ｄに係る側部カバー材本体４０の長さは、屋根ユニット２の平板屋根材８の働き幅よりも長くされている。
【００７７】
係合部４１は、側部カバー材４の奥行方向４ｄ（建物の軒棟方向６）に係る側部カバー材本体４０の他端に設けられた断面コ字状部分である。後に図を用いて説明するように、係合部４１は、上述の側部カバー材本体４０が重ねられる一対の平板屋根材８の軒側端部に係合される。
【００７８】
芯材４２は、矩形の外形を有している。芯材４２としては、例えば発泡樹脂の成形品等を使用することができる。芯材４２は、側部カバー材本体４０の裏面に張り付けられていてもよいが、側部カバー材本体４０と別体であってもよい。後に図を用いて説明するように、芯材４２は、上述の側部カバー材本体４０が重ねられる一対の平板屋根材８の間に挿入される。芯材４２の幅は、建物の軒方向５に関して隣接された一対の屋根ユニット２の軒方向５に関する平板屋根材８の離間距離と同程度か又はその離間距離よりも若干狭いことが好ましい。
【００７９】
＜屋根の施工方法について＞
図１８は、図１の屋根構造１を製造するための屋根の施工方法を示すフローチャートである。図１９は、図１８のユニット配置工程（ステップＳ１）及び突合せカバー工程（ステップＳ２）を示す説明図である。図２０は図１８の端部カバー工程（ステップＳ３）において端部カバー材３が取り付けられる直前の状態を示す説明図であり、図２１は図２０の端部カバー材３の取り付けが完了した状態を示す説明図である。図２２は、図１８の側部カバー工程（ステップＳ４）を示す説明図である。
【００８０】
本実施の形態の屋根構造１は、図１８に示す屋根の施工方法により製造される。すなわち、屋根の施工方法との用語は、屋根の製造方法と同意である。図１８に示すように、本実施の形態の屋根の施工方法には、ユニット配置工程（ステップＳ１）、突合せカバー工程（ステップＳ２）、端部カバー工程（ステップＳ３）及び側部カバー工程（ステップＳ４）が含まれている。
【００８１】
＜ユニット配置工程について＞
ユニット配置工程（ステップＳ１）では、図１９に示すように複数の屋根ユニット２を互いに隣接するように建物の上部に配置する。
【００８２】
具体的には、建物の上部に第１屋根ユニット２１を配置した後に、建物の軒方向５に関して第１屋根ユニット２１に隣接するように第２屋根ユニット２２を建物の上部に配置する。これら第１及び第２屋根ユニット２１，２２は、軒方向５に関して互いの側部露出領域２１１が隣接するように配置される。
【００８３】
建物の上部に第１屋根ユニット２１を配置するとき、図５に示すケラバ水切７４のケラバ部材７４２を除去しておき、のぼり木７２に吊具を取り付けてよい。また、このとき、第１屋根ユニット２１の側部露出領域２１１に吊具を取り付けてよい。これらのぼり木７２及び側部露出領域２１１に吊具を取り付けることで、バランス良く第１屋根ユニット２１を吊り上げることができる。建物の上部に第２屋根ユニット２２を配置するとき、第２屋根ユニット２２の両側の側部露出領域２１１に吊具を取り付けることができる。第３及び第４屋根ユニット２３，２４についても同様である。
【００８４】
また、第１屋根ユニット２１を建物の上部に配置した後に、建物の軒棟方向６に関して第１屋根ユニット２１に隣接するように第３屋根ユニット２３を建物の上部に配置する。第３屋根ユニット２３は、その第３屋根ユニット２３の軒側端部が第１屋根ユニット２１の端部露出領域２１０に隣接するように配置される。
【００８５】
さらに、第２及び第３屋根ユニット２２，２３を建物の上部に配置した後に、軒方向５に関して第３屋根ユニット２３に隣接するとともに、軒棟方向６に関して第２屋根ユニット２２に隣接するように、第４屋根ユニット２４を建物の上部に配置する。第３及び第４屋根ユニット２３，２４は、軒方向５に関して互いの側部露出領域２１１が隣接するように配置される。
【００８６】
＜突合せカバー工程について＞
突合せカバー工程（ステップＳ２）では、図１９に示すように屋根ユニット２間の突合せ部分を第１防水シート７１により覆う。上述のように本実施の形態の第２〜第４屋根ユニット２２〜２４は、屋根ユニット本体から延出された幅方向延出部７１ａ及び／又は奥行方向延出部７１ｂを有している。このため、本実施の形態の屋根の施工方法では、屋根ユニット２を互いに隣接するように配置することに合わせて、それらの突合せ部分を幅方向延出部７１ａ及び／又は奥行方向延出部７１ｂ（第１防水シート７１）により覆う。
【００８７】
具体的には、第１屋根ユニット２１に隣接するように第２屋根ユニット２２を配置する際に、第２屋根ユニット２２の幅方向延出部７１ａが第１及び第２屋根ユニット２１，２２間の突合せ部分を跨いで第１屋根ユニット２１の側部露出領域２１１に重ねられることで、第１及び第２屋根ユニット２１，２２間の突合せ部分が第２屋根ユニット２２の幅方向延出部７１ａにより覆われる。
【００８８】
また、第１屋根ユニット２１に隣接するように第３屋根ユニット２３を配置する際に、第３屋根ユニット２３の奥行方向延出部７１ｂが第１及び第３屋根ユニット２１，２３間の突合せ部分を跨いで第１屋根ユニット２１の端部露出領域２１０に重ねられることで、第１及び第３屋根ユニット２１，２３間の突合せ部分が第３屋根ユニット２３の奥行方向延出部７１ｂにより覆われる。
【００８９】
さらに、第２屋根ユニット２２に隣接するように第４屋根ユニット２４を配置する際に、第４屋根ユニット２４の奥行方向延出部７１ｂが第２及び第４屋根ユニット２２，２４間の突合せ部分を跨いで第２屋根ユニット２２の端部露出領域２１０に重ねられることで、第２及び第４屋根ユニット２２，２４間の突合せ部分が第４屋根ユニット２４の奥行方向延出部７１ｂにより覆われる。同様に、第３屋根ユニット２３に隣接するように第４屋根ユニット２４を配置する際に、第４屋根ユニット２４の幅方向延出部７１ａが第３及び第４屋根ユニット２３，２４間の突合せ部分を跨いで第３屋根ユニット２３の側部露出領域２１１に重ねられることで、第３及び第４屋根ユニット２３，２４間の突合せ部分が第４屋根ユニット２４の幅方向延出部７１ａにより覆われる。
【００９０】
＜端部カバー工程について＞
端部カバー工程（ステップＳ３）では、突合せ部分を幅方向延出部７１ａ及び／又は奥行方向延出部７１ｂ（第１防水シート７１）により覆った後に、図２０及び図２１に示すように、第１及び第２屋根ユニット２１，２２の端部露出領域２１０を覆うように端部カバー材３を第１及び第２屋根ユニット２１，２２の下地材７に重ねる。端部カバー材３は、第３及び第４屋根ユニット２３，２４（軒側の屋根ユニット）の平板屋根材８の下に挿入されるとともに、第１及び第２屋根ユニット２１，２２（軒側の屋根ユニット）の平板屋根材８に重ねられる。上述のように、端部カバー材３としての平板屋根材８は、屋根ユニット２に含まれる平板屋根材８よりも幅広とされている。第１及び第２屋根ユニット２１，２２の端部露出領域２１０をそれぞれ覆う一対の端部カバー材３は建物の軒方向５に関して互いに隣接されている。端部カバー材３の軒側端部は、第１及び第２屋根ユニット２１，２２の平板屋根材８の吊子８１に設けられた第２係合部８１２に係合される。また、端部カバー材３は、例えばビス又は釘等の緊結部材９により第１〜第４屋根ユニット２１〜２４の下地材７に緊結され得る。端部カバー材３に打ち込まれた緊結部材９を側部カバー材４によって覆い隠すことができるように、端部カバー材３の端部に緊結部材９が打ち込まれることが好ましい。
【００９１】
＜側部カバー工程について＞
側部カバー工程（ステップＳ４）では、突合せ部分を幅方向延出部７１ａ及び／又は奥行方向延出部７１ｂ（第１防水シート７１）により覆った後に、図２２に示すように、第１〜第４屋根ユニット２１〜２４の側部露出領域２１１を覆うように側部カバー材４を第１〜第４屋根ユニット２１〜２４の下地材７に重ねる。このとき、側部カバー材４の側部カバー材本体４０は、建物の軒方向５に関して離間する一対の平板屋根材８（例えば第１及び第２屋根ユニット２１，２２の平板屋根材８）に重ねられる。また、その側部カバー材本体４０が重ねられた一対の平板屋根材８よりも棟側に位置する平板屋根材８の下に側部カバー材本体４０の他端４０ａが挿入される。さらに、その側部カバー材本体４０が重ねられた一対の平板屋根材８の軒側端部に係合部４１が係合される。さらに、その側部カバー材本体４０が重ねられた一対の平板屋根材８の間に芯材４２が挿入される。
【００９２】
このような屋根の施工方法及び屋根構造１では、屋根ユニット間の突合せ部分を防水シートが覆うので、止水性の低下を抑えつつ、屋根の施工に要する時間を短くすることができる。
【００９３】
また、隣接する一対の屋根ユニット２のいずれか一方から幅方向延出部７１ａ及び／又は奥行方向延出部７１ｂ（第１防水シート７１）が延出されているので、屋根ユニット２を互いに隣接するように配置することに合わせて、それらの突合せ部分を幅方向延出部７１ａ及び／又は奥行方向延出部７１ｂ（第１防水シート７１）により覆うことができる。防水シートを別部材として準備する態様と比較して、より確実に止水性の低下を抑えることができるとともに、屋根の施工に要する時間をさらに短くすることができる。
【００９４】
さらに、奥行方向延出部７１ｂ（第１防水シート７１）が突合せ部分を跨いで端部露出領域２１０に重ねられるので、屋根の施工に要する時間をさらに短くすることができる。すなわち、仮に端部露出領域２１０まで平板屋根材８が配置されていると、平板屋根材８の下に第１防水シート７１を挿入する手間が生じるが、本実施の形態の構成を採ることによりそのような手間の発生を回避することができる。
【００９５】
さらにまた、端部カバー材３が棟側の屋根ユニット２の平板屋根材８の下に挿入されるとともに軒側の屋根ユニット２の平板屋根材８に重ねられるので、端部カバー材３が目立つことを回避することができるとともに、端部露出領域２１０をより確実に覆うことができる。換言すると、配列された複数の平板屋根材８の中に端部カバー材３を紛れ込ませることができる。
【００９６】
また、端部カバー材３が平板屋根材８であるので、端部カバー材３が目立つことをより確実に回避することができる。
【００９７】
さらに、幅方向延出部７１ａ（第１防水シート７１）が突合せ部分を跨いで側部露出領域２１１に重ねられるので、屋根の施工に要する時間をさらに短くすることができる。すなわち、仮に側部露出領域２１１まで平板屋根材８が配置されていると、平板屋根材８の下に第１防水シート７１を挿入する手間が生じるが、本実施の形態の構成を採ることによりそのような手間の発生を回避することができる。
【００９８】
さらにまた、各屋根ユニット２が建物の軒方向５に関して互いの側部露出領域２１１が隣接するように配置されるので、運搬時及び設置時に各屋根ユニット２の平板屋根材８の端部が破損する虞を低減できる。また、第１防水シート７１に不具合が生じた場合に、屋根ユニット２間の突合せ部分に対して防水テープを貼付する等の補修を行うことができる。
【００９９】
また、建物の軒方向５に関して離間する一対の平板屋根材８に側部カバー材本体４０が重ねられるとともに、一対の平板屋根材８よりも棟側に位置する平板屋根材８の下に側部カバー材本体４０の他端４０ａが挿入され、一対の平板屋根材８の軒側端部に係合部４１が係合されるように配置されるので、側部カバー材４が目立つことを回避しつつ、屋根ユニット２の側部露出領域２１１をより確実に覆うことができる。換言すると、配列された複数の平板屋根材８の中に側部カバー材４を紛れ込ませることができる。
【０１００】
さらに、側部カバー材本体４０の裏面側に配置されるとともに、一対の平板屋根材８の間に挿入される芯材４２を側部カバー材４がさらに有しているので、側部カバー材４の遮音性能を向上できるとともに、側部カバー材４の踏み潰れ性能を向上できる。
【０１０１】
さらにまた、平板屋根材８が表基材８００、裏基材８０１及び芯材８０２を有する金属屋根材であるので、屋根の重量が増大することを回避することができる。また、金属屋根材が撓みを許容するので、棟側の屋根ユニット２の平板屋根材８の下に端部カバー材３を挿入する際に平板屋根材８が損傷する虞を低減できる。さらに、側部カバー材本体４０を金属板により構成する場合に、側部カバー材本体４０と平板屋根材８との表面に違いを小さくでき意匠性を向上できる。
【０１０２】
なお、実施の形態では、隣接する一対の屋根ユニット２のいずれか一方から第１防水シート７１が延出されるように説明したが、別部材として準備された防水シートにより屋根ユニット間の突合せ部分を覆ってもよい。
【０１０３】
また、屋根ユニット２に端部露出領域２１０又は側部露出領域２１１が設けられるように説明したが、屋根ユニットの下地材の全面が平板屋根材により覆われて、端部露出領域及び側部露出領域が設けられていなくてもよい。
【０１０４】
さらに、平板屋根材８が金属屋根材であるように説明したが、例えばカラーベスト等の平形屋根用スレートの平板屋根材が使用されてもよい。
【０１０５】
実施の形態２．
図２３は、本発明の実施の形態２による屋根構造１を示す斜視図である。実施の形態１では、端部カバー材３の端部に緊結部材９が打ち込まれるように説明した。しかしながら、下地材７への端部カバー材３の緊結をより強固するため、より多くの緊結部材９を端部カバー材３に打ち込む場合もある。
【０１０６】
図２３に示すように、本実施の形態２では、端部カバー材３の端部に加えて建物の軒方向５に間隔を置いて複数の箇所において端部カバー材３に緊結部材９が打ち込まれている。また、それら緊結部材９を覆い隠すように緊結部材カバー３０を端部カバー材３に重ねている。すなわち、本実施の形態２の屋根の施工方法では、端部カバー材３を下地材７に重ねた後に、端部カバー材３に緊結部材９を打ち込み端部カバー材３を下地材７に緊結する工程と、端部カバー材３に打ち込まれた緊結部材９を覆い隠すように緊結部材カバー３０を端部カバー材３に重ねる工程とをさらに含む。緊結部材カバー３０が緊結部材９を覆い隠すことにより、緊結部材９の腐食を抑えることができる。
【０１０７】
次に、図２４は図２３の緊結部材カバー３０を示す平面図であり、図２５は図２４の緊結部材カバー３０を示す側面図であり、図２６は図２４の緊結部材カバー３０を示す背面図である。図２４〜図２６に示すように、本実施の形態の緊結部材カバー３０は、基板部３００、上部折返部３０１及び下部折返部３０２を有している。
【０１０８】
基板部３００は、緊結部材カバー３０の幅方向３０ａ及び奥行方向３０ｂに延在する平板状の部分である。基板部３００は、端部カバー材３に打ち込まれた緊結部材９に重ねられる。本実施の形態の基板部３００には、上部切欠３０３及び下部切欠３０４が設けられている。上部切欠３０３は、奥行方向３０ｂに係る基板部３００の一端かつ幅方向３０ａに係る基板部３００の中央部に設けられている。同様に、下部切欠３０４は、奥行方向３０ｂに係る基板部３００の他端かつ幅方向３０ａに係る基板部３００の中央部に設けられている。図２３に示すように端部カバー材３に打ち込まれた緊結部材９に基板部３００が重ねられるとき、端部カバー材３の吊子８１が上部切欠３０３内に収められ、端部カバー材３に軒側に位置する平板屋根材８の吊子８１が下部切欠３０４内に収められる。
【０１０９】
上部折返部３０１は、基板部３００の一端から基板部３００の表側に折り返された部分である。基板部３００の表側とは、端部カバー材３に打ち込まれた緊結部材９に基板部３００が重ねられたとき、外観に現れる基板部３００の表面の側を指す。本実施の形態の上部折返部３０１は、上部切欠３０３が間に位置するように配置された一対の上部舌片３０１ａによって構成されている。本実施の形態では、基板部３００と上部舌片３０１ａとの間の角度は鋭角とされている。後に図を用いて説明するように、上部折返部３０１は、棟側の屋根ユニット２の平板屋根材８の下に挿入されるとともに棟側の屋根ユニット２の平板屋根材８と係合する。
【０１１０】
下部折返部３０２は、基板部３００の他端から基板部３００の裏側に折り返された部分である。基板部３００の裏側とは、端部カバー材３に打ち込まれた緊結部材９に基板部３００が重ねられたとき、端部カバー材３及び緊結部材９と向かい合う基板部３００の裏面３００ｂの側を指す。本実施の形態の下部折返部３０２は、下部切欠３０４が間に位置するように配置された一対の縦壁３０２ａ、一対の延出壁３０２ｂ及び一対の下部舌片３０２ｃによって構成されている。縦壁３０２ａは、基板部３００の他端から立設された壁部である。本実施の形態では、基板部３００と縦壁３０２ａとの間の角度は９０°とされている。延出壁３０２ｂは、縦壁３０２ａの先端から緊結部材カバー３０の奥行方向３０ｂに延出された壁部である。本実施の形態では、縦壁３０２ａと延出壁３０２ｂとの間の角度が鈍角とされている。すなわち、延出壁３０２ｂは、基端（縦壁３０２ａ側）に比べて先端（下部舌片３０２ｃ側）が基板部３００から離れるように延在されている。下部舌片３０２ｃは、延出壁３０２ｂの先端から基板部３００の裏面３００ｂに近づくように折り返された部分である。本実施の形態では、延出壁３０２ｂと下部舌片３０２ｃとの間の角度は鋭角とされている。後に図を用いて説明するように、下部折返部３０２は、端部カバー材３の下に挿入されるとともに端部カバー材３と係合する。
【０１１１】
次に、図２７は図２３の緊結部材カバー３０が取り付けられる状態を示す説明図であり、図２８は図２５の緊結部材カバー３０と端部カバー材３及び平板屋根材８との関係を示す説明図である。図２７に示すように、緊結部材カバー３０は、端部カバー材３に打ち込まれた緊結部材９を覆い隠すように端部カバー材３に重ねられる。このとき、端部カバー材３の表面に沿って緊結部材カバー３０を棟側にスライドさせることにより、棟側の屋根ユニット２の平板屋根材８の下に上部折返部３０１が挿入されるとともに、端部カバー材３の下に下部折返部３０２が挿入される。このとき、棟側の屋根ユニット２の平板屋根材８の裏側において、その平板屋根材８に上部折返部３０１（特に上部舌片３０１ａ）が係合される。また、端部カバー材３の裏側において、その端部カバー材３に下部折返部３０２（特に下部舌片３０２ｃ）が係合される。これらの係合により、緊結部材カバー３０の変位を規制でき、より長期的に緊結部材カバー３０の外れを防止することができる。緊結部材カバー３０を端部カバー材３に重ねる前に、緊結部材カバー３０及び端部カバー材３の少なくとも一方にコーキング材と塗布してもよい。
【０１１２】
例えば下部折返部３０２の延出壁３０２ｂ（図２５参照）が端部カバー材３の軒側端面に突き当たる位置まで緊結部材カバー３０を棟側にスライドさせる等、緊結部材カバー３０を最も棟側までスライドさせた後、緊結部材カバー３０を軒側に僅かに引き戻すことができる。上述のように、本実施の形態の端部カバー材３及び平板屋根材８は、表基材８００、裏基材８０１及び芯材８０２を有する金属屋根材によって構成されている。緊結部材カバー３０を軒側に引き戻すことにより、図２８に特に示しているように上部舌片３０１ａ及び下部舌片３０２ｃを芯材８０２に食い込ませることができ、上部折返部３０１及び下部折返部３０２の係合をより強固にすることができる。但し、端部カバー材３及び平板屋根材８が金属屋根材によって構成されていなくても、例えば端部カバー材３及び平板屋根材８の裏面に窪みを設ける等の方法により、これら端部カバー材３及び平板屋根材８の裏面に上部折返部３０１及び下部折返部３０２を係合させることは可能である。
【０１１３】
このような屋根の施工方法及び屋根構造１では、端部カバー材３に打ち込まれた緊結部材９に基板部３００が重ねられ、基板部３００の一端から基板部３００の表側に折り返された上部折返部３０１が棟側の屋根ユニット２の平板屋根材８の下に挿入されるとともにその棟側の屋根ユニット２の平板屋根材８と係合し、基板部３００の他端から基板部３００の裏側に折り返された下部折返部３０２が端部カバー材３の下に挿入されるとともに端部カバー材３と係合するので、緊結部材９の腐食を抑えることができるとともに、より長期的に緊結部材カバー３０の外れを防止することができる。
【０１１４】
なお、本実施の形態の緊結部材カバー３０は、端部カバー材３ではない任意の部材に打ち込まれた緊結部材を覆い隠すために使用してもよい。緊結部材が打ち込まれた任意の部材を第１部材と呼び、その第１部材の一端が下に挿入された部材を第２部材と呼ぶとき、緊結部材カバー３０は、第１部材に打ち込まれた緊結部材を覆い隠すための緊結部材カバーであってもよい。基板部３００は、第１部材に打ち込まれた緊結部材に重ねられ得る。上部折返部３０１は、第２部材の下に挿入されるとともに第２部材と係合し得る。下部折返部３０２は、第１部材の下に挿入されるとともに第１部材と係合し得る。吊子８１のように緊結部材カバー３０と干渉する部材を第１及び第２部材が有しない場合、上部切欠３０３及び下部切欠３０４が省略されていてもよい。
【０１１５】
実施の形態３．
図２９は本発明の実施の形態３による屋根構造１に含まれる屋根ユニット２を示す斜視図であり、図３０は図２９の屋根ユニット２を示す底面図である。図２９及び図３０に示すように、本実施の形態３の屋根ユニット２の下地材７は、実施の形態１の屋根ユニット２の下地材７の構成に加えて、一対の母屋部材７００が設けられている。母屋部材７００は、幅方向２ｗに延在する長手状の部材であり、奥行方向２ｄに係る屋根ユニット２の一端及び他端において野地板７０の下部に配置されている。垂木部材７８は、母屋部材７００間に配置されている。本実施の形態の母屋部材７００は、図６及び図７に示す垂木部材７８と同様の角形金属管によって構成されている。
【０１１６】
図２９に特に表れているように、屋根ユニット２には、平板屋根材８によって覆われずに下地材７が露出されている端部露出領域２１０及び側部露出領域２１１が設けられている。本実施の形態３の屋根ユニット２では、端部露出領域２１０又は側部露出領域２１１において、母屋部材７００の内部まで連通された開口７１０が野地板７０及び一対の母屋部材７００に設けられている。
【０１１７】
次に、図３１は、図２９の屋根ユニット２を吊り上げるための吊上治具７２０を示す正面図である。図３１に示すように、本実施の形態３の屋根ユニット２は、上述の開口７１０を通して母屋部材７００の内部まで吊上治具７２０を挿入し、その吊上治具７２０を介して屋根ユニット２を建物の上部に吊り上げ可能に構成されている。
【０１１８】
本実施の形態の吊上治具７２０は、本体７２１、接続部７２２、一対の突出片７２３及び操作部７２４を有している。
【０１１９】
本体７２１は、長手状の筒状体によって構成されている。本体７２１の直径は、野地板７０及び母屋部材７００に設けられた開口７１０の直径よりも小さくされている。
【０１２０】
接続部７２２は、本体７２１の上部に設けられており、例えばロープ等の部材を接続することが可能に構成されている。本実施の形態の接続部７２２はリング状に形成されている。
【０１２１】
突出片７２３は、本体７２１の下部周面に設けられた開口を通して本体７２１の下部周面から突出可能に設けられている。母屋部材７００の内部で本体７２１の下部周面から突出片７２３が突出されることにより、野地板７０及び母屋部材７００に設けられた開口７１０からの吊上治具７２０の下部（本体７２１の下部及び突出片７２３）の引き抜きが規制される。突出片７２３は、本体７２１の径方向に進退可能に設けられ得る。
【０１２２】
操作部７２４は、突出片７２３を変位させるための部分である。本実施の形態の吊上治具７２０は、操作部７２４が操作されることにより、本体７２１の下部周面から突出片７２３が突出された状態と、本体７２１の内部に突出片７２３が収まっている状態とを切り替えることが可能に構成されている。本体７２１の内部に突出片７２３が収められることにより、開口７１０を通して母屋部材７００の内部まで吊上治具７２０の下部を挿入できるとともに、吊上治具７２０の下部を開口７１０から引き抜くことができる。
【０１２３】
本実施の形態の操作部７２４は、支持部７２４ａと、支持部７２４ａに回動可能に取り付けられた可動片７２４ｂとを有している。図示はしないが、可動片７２４ｂは、例えばワイヤ等の部材を介して突出片７２３に接続されている。例えば、図３１において実線で示すように可動片７２４ｂが立てられているときに本体７２１の下部周面から突出片７２３を突出させ、図３１において破線で示すように可動片７２４ｂが回動させられたときに本体７２１の内部に突出片７２３が収めることができる。実線で示すように可動片７２４ｂが立てられている状態を維持するために可動片７２４ｂを付勢する例えばバネ等の付勢部材が設けられていてもよい。
【０１２４】
本実施の形態の屋根の施工方法は、開口７１０を通して母屋部材７００の内部まで吊上治具７２０を挿入し、吊上治具７２０を介して屋根ユニット２を建物の上部に吊り上げる工程をさらに含む。具体的には、操作部７２４の操作により本体７２１の内部に突出片７２３が収めた状態で、開口７１０を通して母屋部材７００の内部まで吊上治具７２０の下部を挿入する。その次に、操作部７２４の操作により本体７２１の下部周面から突出片７２３を突出させ、接続部７２２に接続された例えばロープ等の部材及び吊上治具７２０を介して屋根ユニット２を建物の上部に吊り上げる。
【０１２５】
このような屋根の施工方法及び屋根構造１では、開口７１０を通して母屋部材７００の内部まで吊上治具７２０を挿入し、吊上治具７２０を介して屋根ユニット２を建物の上部に吊り上げるので、より容易に屋根ユニット２を建物の上部に吊り上げることができる。
【０１２６】
なお、実施の形態３では、開口７１０が母屋部材７００に連通するように説明したが、開口７１０は垂木部材７８の内部に連通されていてもよい。母屋部材７００及び垂木部材７８は、野地板の下部に配置された支持材を構成する。また、開口７１０は、母屋部材７００及び垂木部材７８以外の他の支持材に連通されていてもよい。
【図１】
2020122031.tif 000003
【図２】
2020122031.tif 000004
【図３】
2020122031.tif 000005
【図４】
2020122031.tif 000006
【図５】
2020122031.tif 000007
【図６】
2020122031.tif 000008
【図７】
2020122031.tif 000009
【図８】
2020122031.tif 000010
【図９】
2020122031.tif 000011
【図１０】
2020122031.tif 000012
【図１１】
2020122031.tif 000013
【図１２】
2020122031.tif 000014
【図１３】
2020122031.tif 000015
【図１４】
2020122031.tif 000016
【図１５】
2020122031.tif 000017
【図１６】
2020122031.tif 000018
【図１７】
2020122031.tif 000019
【図１８】
2020122031.tif 000020
【図１９】
2020122031.tif 000021
【図２０】
2020122031.tif 000022
【図２１】
2020122031.tif 000023
【図２２】
2020122031.tif 000024
【図２３】
2020122031.tif 000025
【図２４】
2020122031.tif 000026
【図２５】
2020122031.tif 000027
【図２６】
2020122031.tif 000028
【図２７】
2020122031.tif 000029
【図２８】
2020122031.tif 000030
【図２９】
2020122031.tif 000031
【図３０】
2020122031.tif 000032
【図３１】
2020122031.tif 000033
【国際調査報告】
2020122031.tif 000034
2020122031.tif 000035
2020122031.tif 000036
2020122031.tif 000037